(57)【要約】【課題】コンテンツの秘匿性と完全性を向上する送信システムを提供する。【解決手段】送信システムは、双方向通信手段と一方向通信手段を用いてコンテンツを送信する。送信システムは、認証暗号によりコンテンツを暗号化し、暗号化したコンテンツと暗号鍵を別々の通信手段を用いて送信する。また、復号に失敗すると、双方向通信手段を用いた再送要求信号を受信し、前回送信した通信手段と同じ通信手段を用いて、前回送信したデータを再送信する。【選択図】図１
2018164165.tif 000002
【特許請求の範囲】
【請求項１】
双方向通信手段と一方向通信手段を用いてコンテンツを送信する送信システムであって、
前記コンテンツを暗号化する暗号化部と、
前記暗号化したコンテンツまたは前記暗号化に用いた暗号鍵を、前記一方向通信手段を用いて送信する第１送信部と、
前記暗号化したコンテンツおよび前記暗号化に用いた暗号鍵のうち、前記第１送信部が送信したデータ以外のデータを、前記双方向通信手段を用いて送信する第２送信部と、
を備え、
前記第１送信部は、前記双方向通信手段を介した再送の要求に応じて、前記一方向通信手段を用いて前回送信したデータを再送信する、送信システム。
【請求項２】
前記暗号化部は、前記コンテンツの暗号化に認証暗号技術を用いる、
請求項１に記載の送信システム。
【請求項３】
前記第１送信部は、前記一方向通信手段を用いて前記暗号化したコンテンツを送信し、
前記第２送信部は、前記双方向通信手段を用いて前記暗号鍵を送信する、
請求項１または請求項２に記載の送信システム。
【請求項４】
前記第１送信部は、前記一方向通信手段を用いて前記暗号鍵を送信し、
前記第２送信部は、前記双方向通信手段を用いて前記暗号化したコンテンツを送信する、
請求項１または請求項２に記載の送信システム。
【請求項５】
前記暗号化部は、前記再送の要求に応じて前回とは異なる暗号鍵で前記コンテンツを暗号化する、
請求項１から請求項４の何れか１項に記載の送信システム。
【請求項６】
双方向通信手段と一方向通信手段を用いてコンテンツを送信する送信システムであって、
分割された前記コンテンツの一方を、前記一方向通信手段を用いて送信する第１送信部と、
分割された前記コンテンツの他方を、前記双方向通信手段を用いて送信する第２送信部と、
を備え、
前記第１送信部は、前記双方向通信手段を介した再送の要求に応じて、前記一方向通信手段を用いて前回送信したデータを再送信する、送信システム。
【請求項７】
前記第１送信部または前記第２送信部は、さらに前記コンテンツの送信予定情報を送信する、
請求項１から請求項６の何れか１項に記載の送信システム。
【請求項８】
請求項１から請求項５の何れか１項に記載の送信システムから前記暗号化されたコンテンツと前記暗号鍵とを受信し、
前記暗号鍵による前記コンテンツの復号に失敗すると、前記双方向通信手段を用いて再送要求を行う、通信端末装置。
【請求項９】
双方向通信手段と一方向通信手段を用いてコンテンツを送信する送信システムが、
前記コンテンツを暗号化し、
前記暗号化したコンテンツまたは前記暗号化に用いた暗号鍵を、前記一方向通信手段を用いて送信し、
前記暗号化したコンテンツおよび前記暗号化に用いた暗号鍵のうち、前記一方向通信手段を用いて送信したデータ以外のデータを、前記双方向通信手段を用いて送信し、
前記双方向通信手段を介した再送の要求に応じて、前記一方向通信手段を用いて前回送信したデータを再送信する、送信方法。
【請求項１０】
双方向通信手段と一方向通信手段を用いてコンテンツを送信する送信システムが、
分割された前記コンテンツの一方を、前記一方向通信手段を用いて送信し、
分割された前記コンテンツの他方を、前記双方向通信手段を用いて送信し、
前記双方向通信手段を介した再送の要求に応じて、前記一方向通信手段を用いて前回送信したデータを再送信する、送信方法。
【発明の詳細な説明】
【技術分野】
【０００１】
本発明は、送信システム、通信端末装置及び送信方法に関する。
【背景技術】
【０００２】
Ｖ−Ｌｏｗ放送波によるコンテンツの送信は、映像や音声のストリーム送信に加え、ファイル形式でのコンテンツ送信が可能である。Ｖ−Ｌｏｗ放送波を含む放送波によるコンテンツの送信では、ブロードキャストによる一斉送信が可能であるが、電波による送信のため、通信品質が伝搬路の環境によって大きく左右される。また、ストリーム送信においては、通信品質が低下した場合でも、一時的な映像・音声の乱れや途切れ等で済むのに対し、ファイル形式でのコンテンツの送信の場合、送信データ全体の完全性が保障されない限り受信側でコンテンツを利用できない可能性が高い。また、放送波は、片方向通信であるため、ＴＣＰ／ＩＰなどの一般的な双方向の通信のように到達確認ができない。
その為、現在の放送波によるデータ送信方式では、対象データを繰り返し送信し、受信側にて欠落したデータを適宜補完することでデータの完全性を確保している。しかしながら、大容量データを送信する場合や、データ送信時間に制約がある場合において、全てのデータを受信できない可能性がある。
【０００３】
関連する技術として、例えば特許文献１には、放送波でのコンテンツ送信システムにおいて、データ欠損が生じると、暗号化したコンテンツとその暗号鍵の再送を携帯網を通じて行う制御方法が記載されている。また、特許文献２には、放送波でコンテンツを送信するにあたり、受信端末での受信状況や受信端末の状態に応じて、放送波の周波数等のパラメータを決定する制御方法が記載されている。
【先行技術文献】
【特許文献】
【０００４】
【特許文献１】国際公開第２０１１／０５２２２３号
【特許文献２】特開２０１０−７４３６０号公報
【発明の概要】
【発明が解決しようとする課題】
【０００５】
しかし、特許文献１の方法では、暗号化したコンテンツとともにその暗号鍵も携帯網で送信するため、携帯網の通信が傍受されると送信コンテンツの秘匿性を保つことができない。また、特許文献２には、コンテンツの送信における秘匿性の担保に関する技術が開示されていない。
【０００６】
そこでこの発明は、上述した課題を解決する送信システム、通信端末装置及び送信方法を提供することを目的としている。
【課題を解決するための手段】
【０００７】
本発明は、双方向通信手段と一方向通信手段を用いてコンテンツを送信する送信システムであって、前記コンテンツを暗号化する暗号化部と、前記暗号化したコンテンツまたは前記暗号化に用いた暗号鍵を、前記一方向通信手段を用いて送信する第１送信部と、前記暗号化したコンテンツおよび前記暗号化に用いた暗号鍵のうち、前記第１送信部が送信したデータ以外のデータを、前記双方向通信手段を用いて送信する第２送信部と、を備え、前記第１送信部は、前記双方向通信手段を介した再送の要求に応じて、前記一方向通信手段を用いて前回送信したデータを再送信する送信システムである。
【０００８】
また本発明は、上記の送信システムから前記暗号化されたコンテンツと前記暗号鍵とを受信し、前記暗号鍵による前記コンテンツの復号に失敗すると、前記双方向通信手段を用いて再送要求を行う、通信端末装置である。
【０００９】
本発明は、双方向通信手段と一方向通信手段を用いてコンテンツを送信する送信システムであって、分割された前記コンテンツの一方を、前記一方向通信手段を用いて送信する第１送信部と、分割された前記コンテンツの他方を、前記双方向通信手段を用いて送信する第２送信部と、を備え、前記第１送信部は、前記双方向通信手段を介した再送の要求に応じて、前記一方向通信手段を用いて前回送信したデータを再送信する送信システムである。
【００１０】
また本発明は、双方向通信手段と一方向通信手段を用いてコンテンツを送信する送信システムが、前記コンテンツを暗号化し、前記暗号化したコンテンツまたは前記暗号化に用いた暗号鍵を、前記一方向通信手段を用いて送信し、前記暗号化したコンテンツおよび前記暗号化に用いた暗号鍵のうち、前記一方向通信手段を用いて送信したデータ以外のデータを、前記双方向通信手段を用いて送信し、前記双方向通信手段を介した再送の要求に応じて、前記一方向通信手段を用いて前回送信したデータを再送信する、送信方法である。
【００１１】
また本発明は、双方向通信手段と一方向通信手段を用いてコンテンツを送信する送信システムが、分割された前記コンテンツの一方を、前記一方向通信手段を用いて送信し、分割された前記コンテンツの他方を、前記双方向通信手段を用いて送信し、前記双方向通信手段を介した再送の要求に応じて、前記一方向通信手段を用いて前回送信したデータを再送信する、送信方法である。
【発明の効果】
【００１２】
本発明によれば、放送波と携帯網によるデータ送信において、コンテンツの送信における秘匿性を向上させることができる。
【図面の簡単な説明】
【００１３】
【図１】本発明の第一の実施形態による送信システムの最小構成を示すブロック図である。
【図２】本発明の第一の実施形態による送受信システムの一例を示すブロック図である。
【図３】本発明の第一の実施形態による送受信システムの構成例を示す図である。
【図４】本発明の第一の実施形態によるデータの送受信方法を説明する第１の図である。
【図５】本発明の第一の実施形態によるデータの送受信処理の一例を示すフローチャートである。
【図６】本発明の第一の実施形態によるデータの送受信方法を説明する第２の図である。
【図７】本発明の第二の実施形態による送受信システムの一例を示すブロック図である。
【図８】本発明の第二の実施形態によるデータの送受信処理の一例を示す第１のフローチャートである。
【図９】本発明の第二の実施形態によるデータの送受信処理の一例を示す第２のフローチャートである。
【発明を実施するための形態】
【００１４】
＜第一の実施形態＞
以下、本発明の一実施形態による送受信システムを図１〜図６を参照して説明する。
図１は第一の実施形態による送信システムの最小構成を示す図である。
図１に示す通り、送信システム１０は、暗号化部１１と、第１送信部１２と、第２送信部１３と、を少なくとも備えている。
送信システム１０は、双方向通信手段と一方向通信手段を用いてコンテンツを送信するシステムである。暗号化部１１は、コンテンツを暗号化する。第１送信部１２は、暗号化したコンテンツの一部または全部と、前記暗号化に用いる暗号鍵とのうち少なくとも一方を、双方向通信手段と一方向通信手段のうちの一つの通信手段を用いて送信する。第２送信部１３は、暗号化したコンテンツおよび暗号化に用いる暗号鍵のうち、第１送信部１２が送信したデータ以外のデータを、第１送信部１２が用いた通信手段とは異なる通信手段を介して送信する。また、第１送信部１２および第２送信部１３のうち少なくとも一つは、双方向通信手段による再送の要求に応じて前回送信した通信手段と同じ通信手段を用いて、前回送信したデータを再送信する。
【００１５】
図２は、本発明の第一の実施形態による送受信システムの一例を示すブロック図である。
送受信システム１は、送信システム１０と通信端末装置２０とを含んで構成される。送信システム１０と通信端末装置２０とは双方向通信手段によって通信可能に接続されている。双方向通信手段とは、例えば、ＬＴＥや３Ｇなどの携帯網、あるいはインターネット網である。また、送信システム１０は、一方向通信手段によってデータを送信し、通信端末装置２０はこのデータを受信する。一方向通信手段とは、例えば、Ｖ−Ｌｏｗ放送波、ラジオ放送波、デジタルテレビ放送波などの放送波である。
送信システム１０は、放送局に設けられ、Ｖ−Ｌｏｗ放送波等によりコンテンツの一斉配信を行う。また、送信システム１０は、携帯網を通じたデータ送受信が可能である。通信端末装置２０は、例えば、携帯端末やＶ−Ｌｏｗ放送波を受信・再生できる専用端末等である。通信端末装置２０は、携帯網やインターネット網を介したデータの送受信を行う通信機能、放送波による暗号化コンテンツを受信するアンテナ、暗号化コンテンツの復調を行うチューナ、暗号化コンテンツの復号を行うソフトウェア等を備える。
【００１６】
図示するように送信システム１０は、暗号化部１１と、第１送信部１２と、第２送信部１３と、再送要求受信部１４と、記憶部１５とを備える。
暗号化部１１は、認証暗号技術（ＡＥ：Authenticated Encryption）によって、データを暗号化する。公知のように認証暗号技術で暗号化されたデータは、秘匿性と完全性が保証される。つまり、データが暗号化による秘匿性に加え、データの改竄を検出することができる。
第１送信部１２は、携帯網（またはインターネット網）または放送波のうち何れかの通信手段を用いて、暗号化部１１によって暗号化されたコンテンツ（以下、暗号化コンテンツ）、またはこの暗号化データを復号する暗号鍵を送信する。なお、コンテンツとは、映像データ、音声データ、テキストデータ、画像データや、機器のファームウェア、制御データなどを含むデジタルデータである。
第２送信部１３は、携帯網（またはインターネット網）、または放送波のうち第１送信部１２が使用しない通信手段を用いて、暗号化コンテンツと暗号鍵のうち第１送信部１２が送信しないデータを送信する。
再送要求受信部１４は、通信端末装置２０からの暗号化コンテンツおよび暗号鍵のうち少なくとも１つに対する再送要求信号を受信する。
記憶部１５は、コンテンツを記憶する記憶装置である。
【００１７】
図示するように通信端末装置２０は、コンテンツ受信部２１と、暗号鍵受信部２２と、結合復号部２３と、再送要求部２４と、再生表示部２５とを備える。
コンテンツ受信部２１は、携帯網（またはインターネット網）または放送波を介して暗号化コンテンツを受信する。
暗号鍵受信部２２は、携帯網（またはインターネット網）または放送波を介して暗号鍵を受信する。
結合復号部２３は、暗号鍵受信部２２が取得した暗号鍵を用いて、コンテンツ受信部２１が取得した暗号化コンテンツを復号する。また、結合復号部２３は、復号の成否を判定する。また、結合復号部２３は、暗号化コンテンツが分割して送信された場合、暗号化コンテンツが分割してから暗号化されたものであれば、分割された暗号化コンテンツを復号してから結合する。または、暗号化コンテンツが暗号化してから分割されたものであれば、結合復号部２３は、分割された暗号化コンテンツを結合してから復号する。
再送要求部２４は、結合復号部２３による復号が失敗すると、暗号化コンテンツおよび暗号鍵のうち少なくとも１つに対する再送要求信号を、双方向通信手段である携帯網（またはインターネット網）を介して送信システム１０へ送信する。
再生表示部２５は、結合復号部２３が復号した後のコンテンツを再生、表示する。再生表示部２５は、例えば、映像データや音声データの再生や、テキストデータや画像データを表示する。
【００１８】
図３は、本発明の第一の実施形態による送受信システムの構成例を示す図である。
本実施形態の送受信システム１の構成例を図３に示す。
送信システム１０は、コンテンツ管理装置１０１と、放送データ管理装置１０２と、携帯網データ管理装置１０３とを備える。コンテンツ管理装置１０１にて生成された、暗号化コンテンツと暗号鍵は、放送データ管理装置１０２および携帯網データ管理装置１０３をそれぞれ経由し、通信端末装置２０に送信される。その後、通信端末装置２０側で暗号化コンテンツを暗号鍵を用いて復号することで通信端末装置２０側にてコンテンツを利用することが可能となる。
【００１９】
図３において、コンテンツ管理装置１０１は、通信端末装置２０へ送信するコンテンツの平文データを保持（記憶部１５）しており、任意の暗号鍵を用いて認証暗号技術によりコンテンツを暗号化する機能（暗号化部１１）を有する。また、コンテンツ管理装置１０１は、この暗号化コンテンツ（または暗号鍵）を放送データ管理装置１０２に送信し、暗号鍵（暗号鍵を放送データ管理装置１０２に送信した場合は暗号化コンテンツ）を携帯網データ管理装置１０３に送信する。コンテンツ管理装置１０１は、放送データ管理装置１０２に暗号化コンテンツ（暗号鍵を放送データ管理装置１０２に送信した場合は暗号鍵）の送信指示を行う。コンテンツ管理装置１０１は、携帯網データ管理装置１０３に暗号鍵（暗号化コンテンツを携帯網データ管理装置１０３に送信した場合は暗号化コンテンツ）の送信指示を行う。また、コンテンツ管理装置１０１は、携帯網データ管理装置１０３より暗号化コンテンツの再送要求を受け付け、放送データ管理装置１０２（暗号化コンテンツを携帯網データ管理装置１０３に送信した場合は携帯網データ管理装置１０３）に暗号化コンテンツの再送指示を行う機能（再送要求受信部１４）を有する。あるいは、コンテンツ管理装置１０１（再送要求受信部１４）は、携帯網データ管理装置１０３より暗号鍵の再送要求を受け付け、携帯網データ管理装置１０３（暗号鍵を放送データ管理装置１０２に送信した場合は放送データ管理装置１０２）に暗号鍵の再送指示を行う。
【００２０】
放送データ管理装置１０２は、コンテンツ管理装置１０１より受領した暗号化コンテンツ（暗号鍵）をコンテンツ管理装置１０１からの送信指示に従って、放送波にて送信する機能（第１送信部１２）を有する。
携帯網データ管理装置１０３は、コンテンツ管理装置１０１より受領した暗号鍵（暗号化コンテンツ）をコンテンツ管理装置１０１からの送信指示に従って、携帯網にて送信する機能（第２送信部１３）を有する。また、携帯網データ管理装置１０３は、通信端末装置２０からの再送要求信号を受信し、コンテンツ管理装置１０１に通知する機能（再送要求受信部１４）を有する。
【００２１】
通信端末装置２０は、放送波（または携帯網）を介して暗号化コンテンツを受信する機能（コンテンツ受信部２１）と、携帯網（携帯網を介して暗号化コンテンツを受信した場合は放送波）を介して暗号鍵を受信する機能（暗号鍵受信部２２）、受信した暗号化コンテンツを暗号鍵を用いて認証暗号技術により復号する機能（結合復号部２３）、また復号時の処理結果としてデータの欠損・改竄を検知し、携帯網を介して携帯網データ管理装置１０３に暗号化コンテンツ（または暗号鍵）の再送要求信号を送信する機能（再送要求部２４）を有する。
【００２２】
図４は、本発明の第一の実施形態によるデータの送受信方法を説明する第１の図である。
図４（ａ）を用いて、放送波によって暗号化コンテンツを送信し、携帯網によって暗号鍵を送信する場合の動作の一例について説明する。
１．まず、放送データ管理装置１０２が放送波によって、暗号化コンテンツを送信する。２．次に携帯網データ管理装置１０３が、携帯網を介して暗号鍵を通信端末装置２０へ送信する。３．通信端末装置２０は、暗号鍵で暗号化コンテンツを復号し、データの完全性を確認する。ここで、復号が失敗したとする。４．すると、通信端末装置２０は、携帯網を介して、暗号化コンテンツに対する再送要求信号を送信する。携帯網データ管理装置１０３は、再送要求信号を受信し、コンテンツ管理装置１０１へその信号を送信する。コンテンツ管理装置１０１は、再送要求の対象が暗号化コンテンツであることに基づいて、前回暗号化コンテンツを送信した放送データ管理装置１０２へ暗号化コンテンツの再送を指示する。５．放送データ管理装置１０２は、放送波によって暗号化コンテンツを再送信する。
【００２３】
本実施形態の送信システム１０では、図４（ａ）の例のように放送波によって暗号コンテンツを送信し、携帯網を使って暗号鍵を送信する態様に限定されない。また、再送要求は、暗号鍵に対する再送要求であってもよい。次に図４（ｂ）を用いて、放送波によって暗号鍵を送信し、携帯網によって暗号化コンテンツを送信する場合の動作例について説明する。
１．まず、携帯網データ管理装置１０３が、携帯網を介して暗号化コンテンツを通信端末装置２０へ送信する。２．次に放送データ管理装置１０２が、放送波によって暗号鍵を送信する。３．通信端末装置２０は、暗号鍵で暗号化コンテンツを復号し、データの完全性を確認する。ここで、復号が失敗したとする。４．すると、通信端末装置２０は、携帯網を介して、暗号鍵に対する再送要求信号を送信する。携帯網データ管理装置１０３は、再送要求信号を受信し、コンテンツ管理装置１０１へその信号を送信する。コンテンツ管理装置１０１は、再送要求の対象が暗号鍵であることに基づいて、前回暗号鍵を送信した放送データ管理装置１０２へ暗号鍵の再送を指示する。５．放送データ管理装置１０２は、放送波によって暗号鍵を再送信する。
また、図４（ａ）、（ｂ）では、暗号化コンテンツ、暗号鍵の何れか一方に対する再送要求を行う動作を例に挙げたが、通信端末装置２０は、暗号化コンテンツと暗号鍵、両方の再送要求を行ってもよい。また、携帯網データ管理装置１０３は、携帯網の代わりにインターネット網を利用して、暗号鍵または暗号化コンテンツの送信、通信端末装置２０からの再送要求信号の受信を行ってもよい。
【００２４】
次に暗号化コンテンツおよび暗号鍵の送信、再送信の処理の流れについて説明する。
図５は、本発明の第一の実施形態によるデータの送受信処理の一例を示すフローチャートである。
前提として図４（ａ）と同様、放送波によって暗号化コンテンツを送信し、携帯網を介して暗号鍵を送信する場合を例に説明を行う。また、放送波にて送信する機能を第１送信部１２、携帯網にて送信する機能を第２送信部１３とする。
まず、コンテンツ管理装置１０１にて、暗号化部１１が、記憶部１５が記憶する平文のコンテンツを任意の暗号鍵を用いて、認証暗号技術により暗号化する（ステップＳ１１）。次にコンテンツ管理装置１０１は、暗号化コンテンツを放送データ管理装置１０２へ送信する（ステップＳ１２）。すると、放送データ管理装置１０２では、第１送信部１２が、例えば予め定められた時刻になると、放送波によって暗号化コンテンツを送信する（ステップＳ１４）。次に通信端末装置２０では、コンテンツ受信部２１が、放送波によって送信された暗号化コンテンツを受信する（ステップＳ１６）。
ステップＳ１２、ステップＳ１４、ステップＳ１６の処理と並行して、コンテンツ管理装置１０１は、暗号鍵を携帯網データ管理装置１０３へ送信する（ステップＳ１３）。すると携帯網データ管理装置１０３では、第２送信部１３が、暗号鍵を携帯網によって送信する（ステップＳ１５）。次に通信端末装置２０では、暗号鍵受信部２２が、通信網を用いて送信された暗号鍵を受信する（ステップＳ１７）。
【００２５】
次に結合復号部２３が、暗号鍵受信部２２が受信した暗号鍵を用いて、コンテンツ受信部２１が受信した暗号化コンテンツを復号する（ステップＳ１８）。ここで認証暗号技術を用いると、復号の際に、データの完全性の確認が行われ、データの改竄やデータに欠損がある場合には、復号が失敗することになる。結合復号部２３は、認証暗号技術の性質を利用して、データの完全性が保たれているか否かの確認を、復号が成功したかどうかを判定することによって行う（ステップＳ１９）。復号が成功した場合（ステップＳ１９；成功）、本処理フローは終了する。この場合、通信端末装置２０のユーザは、再生表示部２５によって復号されたコンテンツを視聴したり、閲覧したりすることができる。
【００２６】
復号が失敗した場合（ステップＳ１９；失敗）、再送要求部２４は、復号が失敗したことに基づいて、暗号化コンテンツの再送要求信号を、携帯網を通じて携帯網データ管理装置１０３へ送信する（ステップＳ２０）。携帯網データ管理装置１０３は、この再送要求信号を受信し、コンテンツ管理装置１０１へ出力する。コンテンツ管理装置１０１では、再送要求受信部１４が、暗号化コンテンツの再送要求信号を取得し、前回暗号化コンテンツを送信した放送データ管理装置１０２へ、暗号化コンテンツの再送指示を行う。放送データ管理装置１０２では第１送信部１２が、前回送信した暗号化コンテンツを、放送波によって再送信する（ステップＳ２１）。そして、復号が成功するまで、ステップＳ１８からの処理を繰り返し、最終的に復号に成功した段階でコンテンツの受信完了とする。
【００２７】
なお、再送要求信号を受信した場合、暗号化部１１は、新たに生成した暗号鍵で平文のコンテンツを暗号化し直してもよい。この場合、ステップＳ２１の処理では、第１送信部１２が、新しい暗号化コンテンツを放送波によって送信し、第２送信部１３が、新しい暗号鍵を携帯網を使って送信する。
【００２８】
また、図５は、図４（ａ）の動作例に基づくフローチャートであるが、図４（ｂ）の動作の場合でも処理の流れは同様である。具体的には、まず、暗号化部１１が、認証暗号技術によりコンテンツを暗号化し（ステップＳ１１）、暗号鍵を放送データ管理装置１０２へ、暗号化コンテンツを携帯網データ管理装置１０３へ送信する（ステップＳ１２、Ｓ１３に相当）。次にステップＳ１４に相当する処理では、第２送信部１３が、所定の時刻になると携帯網によって暗号化コンテンツを送信する。また、暗号鍵は、第１送信部１２が放送波によって送信する（ステップＳ１５相当）。次に通信端末装置２０では、コンテンツ受信部２１が、携帯網によって送信された暗号化コンテンツを受信し（ステップＳ１６）、暗号鍵受信部２２が、放送波によって送信された暗号鍵を受信する（ステップＳ１７）。次に結合復号部２３が、暗号化コンテンツを復号する（ステップＳ１８）。復号が失敗した場合（ステップＳ１９；失敗）、再送要求部２４は、暗号鍵の再送要求信号を、携帯網を通じて携帯網データ管理装置１０３へ送信する（ステップＳ２０相当）。これに対し、再送要求受信部１４は、前回暗号鍵を送信した放送データ管理装置１０２へ暗号鍵の再送指示を行う。放送データ管理装置１０２では第１送信部１２が、前回送信した暗号鍵を放送波によって再送信する（ステップＳ２１相当）。
なお、暗号鍵自体も暗号化されており、暗号鍵の復号に必要な鍵は、通信端末装置２０に予め備えられているとする。
【００２９】
このように、本実施形態によれば、１方向通信手段と双方向通信手段を備える送信システム１０において、初回送信時、再送信時に関わりなく、暗号化コンテンツと暗号鍵とをそれぞれ別々の通信手段（通信経路）を使って送信することにより、一方の通信手段による通信内容を傍受されたとしてもコンテンツを再現することができず、秘匿性を向上することができる。また、認証暗号技術を用いることで、コンテンツに対する改竄等を検出し、コンテンツの秘匿性だけではなく、データの完全性を確認することができる。また、２つある通信手段のうち、一方に双方向通信（携帯網、インターネット網）を備えることで、通信端末装置２０は復号に失敗した際に、暗号化コンテンツや暗号鍵の再送要求を行うことができる。また、データの完全性に問題があるときは、正常にコンテンツを復号できるまで、再送要求により何度でも暗号化コンテンツを受信できるので、データの完全性を担保しやすい。さらに、データの完全性に問題があるときに限り通信端末装置２０が再送要求を送信するため、再送の回数を必要最小限に抑えつつ、受信されるデータの完全性を確保することができる。
【００３０】
なお、放送波と携帯網の特性や送信するコンテンツのデータ容量に応じて、どちらの通信手段を用いて暗号化コンテンツを送信するかを切り替えてもよい。例えば、放送波によるデータ送信量は、携帯網によるデータ送信量と比較して少ないが、携帯網の利用には通信料金が掛かる。また、携帯網は利用者が多い時間帯などでは輻輳が生じ通信速度が遅くなることがあるが、放送波ではそのような心配が無い。そこで、例えば、コンテンツが、比較的データ量が少ない音声データ、テキストデータ、画像データ（静止画）の場合は、放送波によって暗号化コンテンツを送信し、データ量の多い映像データの場合は、例えば、利用者に課金等を行って帯域の消費を抑えつつ、携帯網を用いて暗号化コンテンツを送信し、放送波によって暗号鍵を送信するように切り替えてもよい。また、本実施形態によれば、認証暗号技術により改竄を防止することができる。従って、不正や改竄が許されず且つ多くの人に伝達する必要がある公共性の高いコンテンツ（災害情報など）の送信にも適している。また、公共性の高いコンテンツを送信する場合、アクセス集中による輻輳等の心配が無い放送波によって、比較的データ量の多い暗号化コンテンツを送信するようにしてもよい。
【００３１】
＜他の実施例＞
これまでに一方の通信手段で暗号化コンテンツを送信し、他方の通信手段で暗号鍵を送信する実施例について説明した。次に他の実施例としてコンテンツを分割し、分割後のコンテンツを認証暗号技術によって暗号化し、これを２つの異なる通信手段を用いて送信する例について説明する。以下、予め分割されたコンテンツＡ、コンテンツＢが記憶部１５に記録されているものとして説明を行う。
【００３２】
図６は本発明の第一の実施形態によるデータの送受信方法を説明する第２の図である。
図６（ａ）を用いて、放送波と携帯網の各々を用いて分割された暗号化コンテンツを送信し、携帯網によって暗号鍵を送信する場合の動作の一例について説明する。
１．まず、放送データ管理装置１０２が放送波によって、分割された暗号化コンテンツＡを送信する。２．次に携帯網データ管理装置１０３が、携帯網によって分割された暗号化コンテンツＢを送信する。３．次に携帯網データ管理装置１０３が、携帯網を介して暗号鍵を通信端末装置２０へ送信する。４．通信端末装置２０は、暗号鍵で暗号化コンテンツＡおよび暗号化コンテンツＢを復号し、データの完全性を確認する。ここで、暗号化コンテンツＡ及び暗号化コンテンツＢの少なくともいずれか一方の復号が失敗したとする。５．すると、通信端末装置２０は、携帯網を介して、暗号化コンテンツに対する再送要求信号を送信する。携帯網データ管理装置１０３は、再送要求信号を受信し、コンテンツ管理装置１０１へその信号を送信する。コンテンツ管理装置１０１は、再送要求の対象が暗号化コンテンツであることに基づいて、放送データ管理装置１０２と携帯網データ管理装置１０３に前回と同様の分割された暗号化コンテンツの再送を指示する。６．放送データ管理装置１０２は、放送波によって分割された暗号化コンテンツＡを再送信する。７．最後に携帯網データ管理装置１０３が、分割された暗号化コンテンツＢを送信する。なお、通信端末装置２０は、暗号化コンテンツＡ及び暗号化コンテンツＢのうち、復号が失敗したコンテンツのみに対する再送要求を送信しても良い。
【００３３】
次に図６（ｂ）を用いて、放送波によって暗号鍵を送信し、携帯網によって暗号鍵の再送信を要求する場合の動作例について説明する。
１．まず、放送データ管理装置１０２が放送波によって分割された暗号化コンテンツＡを送信する。２．次に携帯網データ管理装置１０３が携帯網によって分割された暗号化コンテンツＢを送信する。３．次に放送データ管理装置１０２が、放送波を介して暗号鍵を通信端末装置２０へ送信する。４．通信端末装置２０は、暗号鍵で暗号化コンテンツＡおよび暗号化コンテンツＢを復号し、データの完全性を確認する。ここで、暗号化コンテンツＡ及び暗号化コンテンツＢの少なくともいずれか一方の復号が失敗したとする。５．すると、通信端末装置２０は、携帯網を介して、暗号鍵に対する再送要求信号を送信する。携帯網データ管理装置１０３は、再送要求信号を受信し、コンテンツ管理装置１０１へその信号を送信する。コンテンツ管理装置１０１は、再送要求の対象が暗号鍵であることに基づいて、前回暗号鍵を送信した放送データ管理装置１０２へ暗号鍵の再送を指示する。５．放送データ管理装置１０２は、放送波によって暗号鍵を再送信する。なお、通信端末装置２０は、暗号鍵に対する再送要求信号に加えて、暗号化コンテンツＡ及び暗号化コンテンツＢのうち、復号が失敗したコンテンツに対する再送要求を送信しても良い。
【００３４】
このように少なくとも１つの一方向通信手段と１つの双方向通信手段を含む複数の通信手段を有する送信システムにおいて、分割した暗号化コンテンツを複数の通信手段を用いて送信し、また、暗号鍵を複数の通信手段の内の１つを通じて送信する構成としてもよい。なお、上記の例では通信手段は、１つの放送波と１つの携帯網（またはインターネット網）であるが、さらに他の通信手段を備えていて、３つの通信手段、４つの通信手段を利用して暗号化コンテンツと暗号鍵を送信するような構成としてもよい。このような構成の場合にも、再送時を含め鍵とコンテンツ、分割された暗号化コンテンツの一方と他方の送信経路を分割することで、どちらか一方の経路の通信を全て傍受されてもコンテンツを復元できない為、データの秘匿性を向上することができる。
【００３５】
また、上記例では、コンテンツを２つに分割し、これらを１つの暗号鍵で暗号化する例を示したが、例えば、暗号化部１１は、コンテンツＡを、暗号鍵ａを用いて暗号化し、暗号化コンテンツＡを生成し、また、コンテンツＢを、暗号鍵ｂを用いて暗号化し、暗号化コンテンツＢを生成してもよい。この場合、例えば、第１送信部１２は、暗号化コンテンツＡを送信し、第２送信部１３は、暗号化コンテンツＢを送信する。また、第１送信部１２は、暗号鍵ｂを送信し、第２送信部１３は、暗号鍵ａを送信する。また、例えば、暗号鍵ａによる復号が失敗した場合、通信端末装置２０は暗号鍵ａの再送要求信号を、携帯網を用いて携帯網データ管理装置１０３へ送信する。また、コンテンツ管理装置１０１は、再送要求が暗号鍵ａであることに基づいて、前回暗号鍵ａを送信した携帯網データ管理装置１０３へ暗号鍵ａの再送を指示する。携帯網データ管理装置１０３は、暗号鍵ａを再送信する。また、通信端末装置２０は、暗号化コンテンツＡの再送要求を行う場合、暗号化コンテンツＡの再送要求信号を、携帯網を用いて携帯網データ管理装置１０３へ送信する。すると、コンテンツ管理装置１０１は、再送要求が暗号化コンテンツＡであることに基づいて、前回暗号化コンテンツＡを送信した放送データ管理装置１０２へ暗号化コンテンツＡの再送を指示する。放送データ管理装置１０２は、暗号化コンテンツＡを再送する。このような構成としても、コンテンツの秘匿性を維持し、完全性の確認を行うことができる。
【００３６】
また、上記例では、コンテンツを分割した後に暗号化する例を説明したが、本実施形態によれば、暗号化後に暗号化コンテンツを分割した場合であっても、図６（ａ）、図６（ｂ）で説明したものと同様の処理で分割された暗号化コンテンツの送信や再送信を行うことができる。但し、暗号化後に暗号化コンテンツを分割した場合は、図６（ａ）、図６（ｂ）の「４．」の完全性確認の処理において、結合復号部２３が、まず、暗号化コンテンツＡおよび暗号化コンテンツＢを結合する処理を行う。そして、結合復号部２３は、結合後の暗号化コンテンツを受信した暗号鍵で復号し、完全性の確認を行う。
【００３７】
＜第二の実施形態＞
以下、本発明の第二の実施形態による電源システムを、図７から図９を参照して説明する。
第二の実施形態では、送信システム１０は、暗号化コンテンツ、暗号鍵の送信に先立ちコンテンツの送信予定表を送信する。通信端末装置２０は、送信予定表が示す予定時刻になってもコンテンツが受信できなければ、送信要求などを行う。あるいは、送信予定表が示す受信すべきコンテンツと実際に受信したコンテンツとを比較し、両者が一致しない場合、再送要求等を行う。
【００３８】
図７は、本発明の第二の実施形態による送受信システムの一例を示すブロック図である。
第一の実施形態と同様の構成には、同じ符号を付し詳細な説明を省略する。図示するように送信システム１０は、暗号化部１１と、第１送信部１２と、第２送信部１３と、再送要求受信部１４と、記憶部１５とを備える。
本実施形態では、記憶部１５は、コンテンツに加え、送信予定表を記憶する。送信予定表には、例えば、送信を予定している１日分のコンテンツの識別情報とそのコンテンツの送信開始予定時刻と送信終了予定時刻が記録されている。あるいは、送信予定表には、次に（送信予定表の送信直後に）送信するコンテンツの識別情報が記録されている。
【００３９】
図示するように通信端末装置２０は、コンテンツ受信部２１と、暗号鍵受信部２２と、結合復号部２３と、再送要求部２４と、再生表示部２５と、送信予定表受信部２６、コンテンツ判定部２７とを備える。
送信予定表受信部２６は、送信予定表を受信する。
コンテンツ判定部２７は、送信予定表受信部２６が受信した送信予定表に基づいて、受信すべき適切なコンテンツを受信したかどうかを判定する。
他の構成については、第一の実施形態と同様である。次に図８、図９を用いて、本実施形態のコンテンツの送受信処理の流れについて説明する。
【００４０】
まず、予め所定期間におけるコンテンツ送信予定表を送信しておいて、予定時刻にコンテンツを受信できるかどうかを判定する実施例について説明する。
図８は、本発明の第二の実施形態によるデータの送受信処理の一例を示す第１のフローチャートである。
まず、放送データ管理装置１０２の第１送信部１２が、記憶部１５が記憶する所定期間（例えば１日分）におけるコンテンツの送信予定表を放送波で送信する（ステップＳ３１）。次に通信端末装置２０にて、送信予定表受信部２６が送信予定表を受信する。送信予定表には、コンテンツ別に送信予定時刻が記載されている。コンテンツ判定部２７は、この送信予定表に記載がある送信予定時刻にコンテンツ受信部２１がコンテンツを受信したかどうかを判定する（ステップＳ３２）。例えば、暗号化コンテンツには、コンテンツの識別情報が付されていて、コンテンツ判定部２７は、送信予定表に記載されたコンテンツの識別情報が付された暗号化コンテンツを、送信が予定されている時刻（あるいは、送信予定時刻を基準にして所定時間内）にコンテンツ受信部２１が受信したかどうかを監視する。コンテンツ受信部２１が暗号化コンテンツを受信した場合（ステップＳ３２；Ｙｅｓ）、本フローチャートを終了する。予定されている暗号化コンテンツを受信しない場合（ステップＳ３２；Ｎｏ）、コンテンツ判定部２７は、再送要求部２４に判定結果を出力する。次に再送要求部２４は、携帯網を介して受信すべきコンテンツの識別情報を送信する等して、適切なコンテンツの再送要求信号を、携帯網（またはインターネット網）を介して携帯網データ管理装置１０３へ送信する（ステップＳ３３）。あるいは、再送要求部２４は、コンテンツを受信していないことを示す未受信通知信号を、携帯網を介して携帯網データ管理装置１０３へ送信する。
【００４１】
なお、送信予定表は、携帯網データ管理装置１０３の第２送信部１３が通信網（またはインターネット網）を介して送信してもよい。また、初回送信時、再送信時も暗号化コンテンツと暗号鍵のそれぞれを、異なる通信手段（通信経路）を通して送付することは第一実施形態と同様である。
【００４２】
例えば、通信端末装置２０が移動している場合など、電波環境によっては、コンテンツを全く受信できないことが考えられる。このような場合、通信端末装置２０は、そもそも送信されるコンテンツの存在に気付かないことが考えられる。本実施形態によれば、送信予定表（送信予定情報）を予め受信しておくことで、各時刻に送信されるはずの暗号化コンテンツの有無を判定することができ、また、受信すべきコンテンツが受信できないときには、再送要求を行うことにより、コンテンツの受信漏れを防ぐことができる。なお、例えば、初回の暗号化コンテンツの送信を放送波によって行い、携帯網を介して暗号鍵の送信を行ったときに通信端末装置２０から再送要求を受けた場合、初回の通信がうまくいかなかったことを考慮して、今度は、携帯網を介して暗号化コンテンツの再送信を行い、放送波によって暗号鍵の再送信を行ってもよい。
【００４３】
次に暗号化コンテンツ送信の直前（または同時）に送信予定表を送信し、適切なコンテンツが送信されたかどうかを判定する実施例について説明する。
図９は、本発明の第二の実施形態によるデータの送受信処理の一例を示す第２のフローチャートである。
まず、暗号化部１１が、平文のコンテンツを認証暗号技術により暗号化する（ステップＳ１１）。次にコンテンツ管理装置１０１は、暗号化コンテンツとそのコンテンツが記載された送信予定表を放送データ管理装置１０２へ送信する（ステップＳ１２）。次に放送データ管理装置１０２では、第１送信部１２が、送信予定表を放送波によって送信する（ステップＳ１３５）。次に、第１送信部１２が、放送波によって暗号化コンテンツを送信する（ステップＳ１４）。次に通信端末装置２０では、送信予定表受信部２６が、放送波によって送信された送信予定表を受信する。また、コンテンツ受信部２１が、放送波によって送信された暗号化コンテンツを受信する（ステップＳ１６１）。
ステップＳ１２、ステップＳ１３５、ステップＳ１４、ステップＳ１６の処理と並行して、コンテンツ管理装置１０１は、暗号鍵を携帯網データ管理装置１０３へ送信する（ステップＳ１３）。次に携帯網データ管理装置１０３では、第２送信部１３が、暗号鍵を携帯網によって送信する（ステップＳ１５）。次に通信端末装置２０では、暗号鍵受信部２２が、通信網を用いて送信された暗号鍵を受信する（ステップＳ１７）。
【００４４】
次に結合復号部２３が、暗号化コンテンツを復号する（ステップＳ１８）。復号が失敗した場合（ステップＳ１９；失敗）、再送要求部２４が携帯網を通じて暗号化コンテンツ等の再送要求信号を送信し（ステップＳ２０）、送信システム１０では、放送データ管理装置１０２が、暗号化コンテンツを、放送波によって再送信する（ステップＳ２１）ことは第一の実施形態と同様である。
【００４５】
本実施形態では、復号が成功した場合（ステップＳ１９；成功）、コンテンツ判定部２７によって受信したコンテンツが適切かどうかを判定する（ステップＳ２２）。例えば、コンテンツ判定部２７は、復号後のコンテンツに含まれるコンテンツの識別情報と送信予定表に記載された識別情報とを比較し、両者が一致すれば、コンテンツは正しいと判定する。また、両者が一致しない場合、コンテンツ判定部２７は、コンテンツは不正であると判定する。コンテンツが正しい場合（ステップＳ２２；Ｙｅｓ）、本処理フローは終了する。この場合、通信端末装置２０のユーザは、再生表示部２５によって復号されたコンテンツを視聴したり、閲覧したりすることができる。
【００４６】
コンテンツが不正である場合（ステップＳ２２；Ｎｏ）、ステップＳ２０からの処理を繰り返す。つまり、再送要求部２４が携帯網を介して暗号化コンテンツの再送要求信号の送信を行い、放送データ管理装置１０２は、送信予定表に記載があるコンテンツのうち現在の時刻に応じたコンテンツを暗号化した暗号化コンテンツを、放送波によって再送信する（ステップＳ２２）。復号が成功するまで、ステップＳ２０からの処理を繰り返し、最終的に復号に成功した段階でコンテンツの受信完了とする。
【００４７】
なお、送信予定表は第２送信部１３が通信網（またはインターネット網）を介して送信してもよい。また、ステップＳ２２におけるコンテンツが送信予定表に記載された内容と一致するかどうかの判定は、コンテンツの識別情報を、復号を行うことなく確認できるようにして、復号化（ステップＳ１８）の前に行ってもよい。また、送信予定表は、認証暗号技術によって暗号化されていてもよい。
本実施形態によれば、第一実施形態におけるコンテンツの秘匿性、完全性を向上する効果に加え、受信したコンテンツが適切かどうかを判定することができる。
【００４８】
なお、上述の送信システム１０（コンテンツ管理装置１０１、放送データ管理装置１０２、携帯網データ管理装置１０３）、通信端末装置２０は内部にコンピュータを有している。上述した送信システム１０、通信端末装置２０の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに送信し、この送信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。また、上述した送信システム１０、通信端末装置２０の各機能の全て又は一部は、ＡＳＩＣ（Application Specific Integrated Circuit）やＰＬＤ（Programmable Logic Device）やＦＰＧＡ（Field-Programmable Gate Array）やＰＬＣ（Programmable Logic Controller）等のハードウェアを用いて実現されてもよい。
【００４９】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。なお、実施形態の説明では、放送データ管理装置１０２が第１送信部１２を備え、携帯網データ管理装置が第２送信部１３を備える例を用いて説明したが、放送データ管理装置１０２が第２送信部１３を備え、携帯網データ管理装置が第１送信部１２を備えていてもよい。なお、実施形態の説明では、双方向通信手段の一例として携帯網を利用する場合の説明を行ったが、携帯網の代わりにインターネット網を利用することが可能である。
【符号の説明】
【００５０】
１０・・・送信システム
１１・・・暗号化部
１２・・・第１送信部
１３・・・第２送信部
１４・・・再送要求受信部
１５・・・記憶部
１０１・・・コンテンツ管理装置
１０２・・・放送データ管理装置
１０３・・・携帯網データ管理装置
２０・・・通信端末装置
２１・・・コンテンツ受信部
２２・・・暗号鍵受信部
２３・・・結合復号部
２４・・・再送要求部
２５・・・再生表示部
【図１】
2018164165.tif 000003
【図２】
2018164165.tif 000004
【図３】
2018164165.tif 000005
【図４】
2018164165.tif 000006
【図５】
2018164165.tif 000007
【図６】
2018164165.tif 000008
【図７】
2018164165.tif 000009
【図８】
2018164165.tif 000010
【図９】
2018164165.tif 000011
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
双方向通信手段と一方向通信手段を用いてコンテンツを通信端末装置に送信する送信システムであって、
前記コンテンツを暗号化する暗号化部と、
前記暗号化したコンテンツまたは前記暗号化に用いた暗号鍵を、前記一方向通信手段を用いて送信する第１送信部と、
前記暗号化したコンテンツおよび前記暗号化に用いた暗号鍵のうち、前記第１送信部が送信したデータ以外のデータを、前記双方向通信手段を用いて送信する第２送信部と、
を備え、
前記第１送信部または前記第２送信部は、前記コンテンツの送信予定情報を送信し、
前記第１送信部は、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記第１送信部が送信したデータを再送信する、送信システム。
【請求項２】
前記暗号化部は、前記コンテンツの暗号化に認証暗号技術を用いる、
請求項１に記載の送信システム。
【請求項３】
前記第１送信部は、前記一方向通信手段を用いて前記暗号化したコンテンツを送信し、
前記第２送信部は、前記双方向通信手段を用いて前記暗号鍵を送信する、
請求項１または請求項２に記載の送信システム。
【請求項４】
前記第１送信部は、前記一方向通信手段を用いて前記暗号鍵を送信し、
前記第２送信部は、前記双方向通信手段を用いて前記暗号化したコンテンツを送信する、
請求項１または請求項２に記載の送信システム。
【請求項５】
前記暗号化部は、前記再送の要求に応じて前回とは異なる暗号鍵で前記コンテンツを暗号化する、
請求項１から請求項４の何れか１項に記載の送信システム。
【請求項６】
双方向通信手段と一方向通信手段を用いてコンテンツを通信端末装置に送信する送信システムであって、
分割された前記コンテンツの一方を、前記一方向通信手段を用いて送信する第１送信部と、
分割された前記コンテンツの他方を、前記双方向通信手段を用いて送信する第２送信部と、
を備え、
前記第１送信部は、前記通信端末装置が前記双方向通信手段を介して送信する再送の要求に応じて、前記一方向通信手段を用いて前記分割された前記コンテンツの一方を再送信する、送信システム。
【請求項７】
請求項１から請求項５の何れか１項に記載の送信システムから前記暗号化されたコンテンツと前記暗号鍵と前記送信予定情報とを受信し、
前記暗号鍵による前記コンテンツの復号に失敗した場合、または、前記送信予定情報により示される受信すべきコンテンツと前記受信した前記コンテンツを比較して両者が一致しないと判定した場合に前記双方向通信手段を用いて再送要求を行う、通信端末装置。
【請求項８】
双方向通信手段と一方向通信手段を用いてコンテンツを通信端末装置に送信する送信システムが、
前記コンテンツを暗号化するステップと、
前記暗号化したコンテンツまたは前記暗号化に用いた暗号鍵を、前記一方向通信手段を用いて送信する第１送信ステップと、
前記暗号化したコンテンツおよび前記暗号化に用いた暗号鍵のうち、前記一方向通信手段を用いて送信したデータ以外のデータを、前記双方向通信手段を用いて送信するステップと、
前記一方向通信手段または前記双方向通信手段を用いて、前記コンテンツの送信予定情報を送信するステップと、を有し
前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記第１送信ステップで送信したデータを再送信する、送信方法。
【請求項９】
双方向通信手段と一方向通信手段を用いてコンテンツを通信端末装置に送信する送信システムが、
分割された前記コンテンツの一方を、前記一方向通信手段を用いて送信し、
分割された前記コンテンツの他方を、前記双方向通信手段を用いて送信し、
前記通信端末装置が前記双方向通信手段を介して送信する再送の要求に応じて、前記一方向通信手段を用いて前記分割された前記コンテンツの一方を再送信する、送信方法。
【請求項１０】
双方向通信手段と一方向通信手段を用いてコンテンツを通信端末装置に送信する送信システムであって、
分割された前記コンテンツの一方を、前記一方向通信手段を用いて送信する第１送信部
と、
分割された前記コンテンツの他方を、前記双方向通信手段を用いて送信する第２送信部
と、
を備え、
前記第１送信部または前記第２送信部は、前記コンテンツの送信予定情報を送信し、
前記第１送信部は、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記分割された前記コンテンツの一方を再送信する、送信システム。
【請求項１１】
請求項１から請求項５の何れか１項に記載の送信システムと、
請求項７に記載の通信端末装置と、
を含む送受信システム。
【手続補正３】
【補正対象書類名】明細書
【補正対象項目名】０００１
【補正方法】変更
【補正の内容】
【０００１】
本発明は、送信システム、通信端末装置、送受信システム及び送信方法に関する。
【手続補正４】
【補正対象書類名】明細書
【補正対象項目名】０００６
【補正方法】変更
【補正の内容】
【０００６】
そこでこの発明は、上述した課題を解決する送信システム、通信端末装置、送受信システム及び送信方法を提供することを目的としている。
【手続補正５】
【補正対象書類名】明細書
【補正対象項目名】０００７
【補正方法】変更
【補正の内容】
【０００７】
本発明は、双方向通信手段と一方向通信手段を用いてコンテンツを通信端末装置に送信する送信システムであって、前記コンテンツを暗号化する暗号化部と、前記暗号化したコンテンツまたは前記暗号化に用いた暗号鍵を、前記一方向通信手段を用いて送信する第１送信部と、前記暗号化したコンテンツおよび前記暗号化に用いた暗号鍵のうち、前記第１送信部が送信したデータ以外のデータを、前記双方向通信手段を用いて送信する第２送信部と、を備え、前記第１送信部または前記第２送信部は、前記コンテンツの送信予定情報を送信し、前記第１送信部は、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記第１送信部が送信したデータを再送信する送信システムである。
【手続補正６】
【補正対象書類名】明細書
【補正対象項目名】０００８
【補正方法】変更
【補正の内容】
【０００８】
また本発明は、上記の送信システムから前記暗号化されたコンテンツと前記暗号鍵と前記送信予定情報とを受信し、前記暗号鍵による前記コンテンツの復号に失敗した場合、または、前記送信予定情報により示される受信すべきコンテンツと前記受信したコンテンツを比較して両者が一致しないと判定した場合に前記双方向通信手段を用いて再送要求を行う、通信端末装置である。
また、本発明は、上記の送信システムと上記の通信端末装置とを含む送受信システムである。
【手続補正７】
【補正対象書類名】明細書
【補正対象項目名】０００９
【補正方法】変更
【補正の内容】
【０００９】
本発明は、双方向通信手段と一方向通信手段を用いてコンテンツを通信端末装置に送信する送信システムであって、分割された前記コンテンツの一方を、前記一方向通信手段を用いて送信する第１送信部と、分割された前記コンテンツの他方を、前記双方向通信手段を用いて送信する第２送信部と、を備え、前記第１送信部は、前記通信端末装置が前記双方向通信手段を介して送信する再送の要求に応じて、前記一方向通信手段を用いて前記分割された前記コンテンツの一方を再送信する送信システムである。
また、本発明は、双方向通信手段と一方向通信手段を用いてコンテンツを通信端末装置に送信する送信システムであって、分割された前記コンテンツの一方を、前記一方向通信手段を用いて送信する第１送信部と、分割された前記コンテンツの他方を、前記双方向通信手段を用いて送信する第２送信部と、を備え、前記第１送信部または前記第２送信部は、前記コンテンツの送信予定情報を送信し、前記第１送信部は、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記分割された前記コンテンツの一方を再送信する、送信システムである。
【手続補正８】
【補正対象書類名】明細書
【補正対象項目名】００１０
【補正方法】変更
【補正の内容】
【００１０】
また本発明は、双方向通信手段と一方向通信手段を用いてコンテンツを通信端末装置に送信する送信システムが、前記コンテンツを暗号化するステップと、前記暗号化したコンテンツまたは前記暗号化に用いた暗号鍵を、前記一方向通信手段を用いて送信する第１送信ステップと、前記暗号化したコンテンツおよび前記暗号化に用いた暗号鍵のうち、前記一方向通信手段を用いて送信したデータ以外のデータを、前記双方向通信手段を用いて送信するステップと、前記一方向通信手段または前記双方向通信手段を用いて、前記コンテンツの送信予定情報を送信するステップと、を有し、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて、前記第１送信ステップで送信したデータを再送信する、送信方法である。
【手続補正９】
【補正対象書類名】明細書
【補正対象項目名】００１１
【補正方法】変更
【補正の内容】
【００１１】
また本発明は、双方向通信手段と一方向通信手段を用いて通信端末装置にコンテンツを送信する送信システムが、分割された前記コンテンツの一方を、前記一方向通信手段を用いて送信し、分割された前記コンテンツの他方を、前記双方向通信手段を用いて送信し、前記通信端末装置が前記双方向通信手段を介して送信する再送の要求に応じて、前記一方向通信手段を用いて前記分割された前記コンテンツの一方を再送信する、送信方法である。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
双方向通信手段と一方向通信手段を用いてコンテンツを通信端末装置に送信する送信システムであって、
前記コンテンツを暗号化する暗号化部と、
前記暗号化したコンテンツまたは前記暗号化に用いた暗号鍵を、前記一方向通信手段を用いて送信する第１送信部と、
前記暗号化したコンテンツおよび前記暗号化に用いた暗号鍵のうち、前記第１送信部が送信したデータ以外のデータを、前記双方向通信手段を用いて送信する第２送信部と、
を備え、
前記第１送信部または前記第２送信部は、前記コンテンツの送信予定情報を送信し、
前記第１送信部は、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記第１送信部が送信した前記コンテンツまたは前記暗号鍵を再送信する、送信システム。
【請求項２】
前記暗号化部は、前記コンテンツの暗号化に認証暗号技術を用いる、
請求項１に記載の送信システム。
【請求項３】
前記第１送信部は、前記一方向通信手段を用いて前記暗号化したコンテンツを送信し、
前記第２送信部は、前記双方向通信手段を用いて前記暗号鍵を送信する、
請求項１または請求項２に記載の送信システム。
【請求項４】
前記第１送信部は、前記一方向通信手段を用いて前記暗号鍵を送信し、
前記第２送信部は、前記双方向通信手段を用いて前記暗号化したコンテンツを送信する、
請求項１または請求項２に記載の送信システム。
【請求項５】
前記暗号化部は、前記再送の要求に応じて前回とは異なる暗号鍵で前記コンテンツを暗号化する、
請求項１から請求項４の何れか１項に記載の送信システム。
【請求項６】
請求項１から請求項５の何れか１項に記載の送信システムから前記暗号化されたコンテンツと前記暗号鍵と前記送信予定情報とを受信し、
前記暗号鍵による前記コンテンツの復号に失敗した場合、または、前記送信予定情報により示される受信すべきコンテンツと前記受信した前記コンテンツを比較して両者が一致しないと判定した場合に前記双方向通信手段を用いて再送要求を行う、通信端末装置。
【請求項７】
双方向通信手段と一方向通信手段を用いてコンテンツを通信端末装置に送信する送信システムが、
前記コンテンツを暗号化するステップと、
前記暗号化したコンテンツまたは前記暗号化に用いた暗号鍵を、前記一方向通信手段を用いて送信する第１送信ステップと、
前記暗号化したコンテンツおよび前記暗号化に用いた暗号鍵のうち、前記一方向通信手段を用いて送信したデータ以外のデータを、前記双方向通信手段を用いて送信するステップと、
前記一方向通信手段または前記双方向通信手段を用いて、前記コンテンツの送信予定情報を送信するステップと、を有し
前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記第１送信ステップで送信したデータを再送信する、送信方法。
【請求項８】
双方向通信手段と一方向通信手段を用いてコンテンツを通信端末装置に送信する送信システムが、
分割された前記コンテンツの一方を、前記一方向通信手段を用いて送信し、
分割された前記コンテンツの他方を、前記双方向通信手段を用いて送信し、
前記一方向通信手段または前記双方向通信手段を用いて、前記コンテンツの送信予定情報を送信し、
前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記分割された前記コンテンツの一方を再送信する、送信方法。
【請求項９】
双方向通信手段と一方向通信手段を用いてコンテンツを通信端末装置に送信する送信システムであって、
分割された前記コンテンツの一方を、前記一方向通信手段を用いて送信する第１送信部と、
分割された前記コンテンツの他方を、前記双方向通信手段を用いて送信する第２送信部と、
を備え、
前記第１送信部または前記第２送信部は、前記コンテンツの送信予定情報を送信し、
前記第１送信部は、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記分割された前記コンテンツの一方を再送信する、送信システム。
【請求項１０】
請求項１から請求項５の何れか１項に記載の送信システムと、
請求項６に記載の通信端末装置と、
を含む送受信システム。
【手続補正２】
【補正対象書類名】明細書
【補正対象項目名】０００７
【補正方法】変更
【補正の内容】
【０００７】
本発明は、双方向通信手段と一方向通信手段を用いてコンテンツを通信端末装置に送信する送信システムであって、前記コンテンツを暗号化する暗号化部と、前記暗号化したコンテンツまたは前記暗号化に用いた暗号鍵を、前記一方向通信手段を用いて送信する第１送信部と、前記暗号化したコンテンツおよび前記暗号化に用いた暗号鍵のうち、前記第１送信部が送信したデータ以外のデータを、前記双方向通信手段を用いて送信する第２送信部と、を備え、前記第１送信部または前記第２送信部は、前記コンテンツの送信予定情報を送信し、前記第１送信部は、前記通信端末装置が、受信したコンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記第１送信部が送信した前記コンテンツまたは前記暗号鍵を再送信する送信システムである。
【手続補正３】
【補正対象書類名】明細書
【補正対象項目名】０００９
【補正方法】変更
【補正の内容】
【０００９】
本発明は、双方向通信手段と一方向通信手段を用いてコンテンツを通信端末装置に送信する送信システムであって、分割された前記コンテンツの一方を、前記一方向通信手段を用いて送信する第１送信部と、分割された前記コンテンツの他方を、前記双方向通信手段を用いて送信する第２送信部と、を備え、前記第１送信部または前記第２送信部は、前記コンテンツの送信予定情報を送信し、前記第１送信部は、前記通信端末装置が、受信したコンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記分割された前記コンテンツの一方を再送信する、送信システムである。
【手続補正４】
【補正対象書類名】明細書
【補正対象項目名】００１１
【補正方法】変更
【補正の内容】
【００１１】
また本発明は、双方向通信手段と一方向通信手段を用いて通信端末装置にコンテンツを送信する送信システムが、分割された前記コンテンツの一方を、前記一方向通信手段を用いて送信し、分割された前記コンテンツの他方を、前記双方向通信手段を用いて送信し、前記一方向通信手段または前記双方向通信手段を用いて、前記コンテンツの送信予定情報を送信し、前記通信端末装置が、受信した前記コンテンツの復号に失敗した場合、または、前記送信予定情報により示される受信すべきコンテンツと前記受信したコンテンツを比較して両者が一致しないと判定した場合に前記双方向通信手段を介して送信する再送の要求に応じて、前記一方向通信手段を用いて前記分割された前記コンテンツの一方を再送信する、送信方法である。